(57)【要約】【課題】ルーレットゲームにおいて、各プレイヤーの配当額を自動的に表示することができる、ルーレットゲームの配当額自動表示システムを得る。【解決手段】ルーレット盤の全てのポケットの底面にボールが落下したことを検出するための半導体圧力センサーを固設した底板を設置し、該半導体圧力センサーからの出力信号を出目情報として２線式シリアル信号に変換するためのトランスデューサーに接続する。また、カジノチップとして当該カジノチップの価値や色等を特定するためのＩＤ情報を有した超小型無線ＩＤタグチップ及びアンテナを埋め込んだものを使用し、レイアウトの場の裏面に設置したＩＤ読み取り装置によりベットされた全てのカジノチップのＩＤ情報を常時読み取ることにより各プレイヤーがベットしたカジノチップのベット位置及びベット額情報を得る。そして、該情報を端末サーバに入力して演算処理して配当額及び出目内容を表示盤に表示する。【選択図】　　　　図１
2004105321.tif 000002
【特許請求の範囲】
【請求項１】
ルーレット盤の全てのポケットの底面にボールが落下したことを検出するための半導体圧力センサーを固設した底板を設置し、該半導体圧力センサーからの出力信号を出目情報として２線式シリアル信号に変換するためのトランスデューサーに接続し、また、カジノチップとして当該カジノチップの価値や色等を特定するための下位ビットとカジノチップの固有番号及びカジノ場等を特定するための上位ビットから成るＩＤ情報を有した超小型無線ＩＤタグチップ及びアンテナを埋め込んだものを使用し、レイアウトの場の裏面に設置したＩＤ読み取り装置によりベットされた全てのカジノチップのＩＤ情報を常時読み取ることにより各プレイヤーがベットしたカジノチップのベット位置及びベット額情報を得て、該ベット位置及びベット額情報信号と前記出目情報信号を端末サーバに入力して演算処理し、算出された各プレイヤーの配当額及び出目内容を表示盤に表示することを特徴とした、ルーレットゲームの配当額自動表示システム。
【請求項２】
端末サーバにＣＤ−ＲやＤＶＤ−Ｒ等のＷＯＲＭ型記録媒体によりルーレットゲーム中における出目情報とベット位置及びベット額情報等を逐次記録するようにしたことを特徴とした、請求項１に記載のルーレットゲームの配当額自動表示システム。
【発明の詳細な説明】
【０００１】
【発明の属する技術分野】
本発明は、カジノゲームにおいて、特にルーレットゲームにおけるルーレット盤の出目とレイアウトの場にベットしたカジノチップのベット位置及びベット額等の各種情報を演算処理することにより配当額を自動的に表示することができる、ルーレットゲームの配当額自動表示システムに関するものである。
【０００２】
【従来の技術】
従来、カジノでルーレットゲームを行う場合、各子（プレイヤー）はレイアウトの場に１＄，５＄，１０＄等の価値を持ったカジノチップをベットし、該ベットが終了すると親（ディーラー）はルーレット盤を廻してボールを投げ入れる。
そして、該ボールがルーレット盤のいずれかのポケットに入った時にその出目の数字とプレイヤーがベットした場の数字や色等を比べ、一致した箇所がある場合すなわちプレイヤーが勝った場合にはその場の掛け率に応じて払い出しが行われる。
【０００３】
該ルーレットゲーム中において、ルーレット盤の出目はディーラーのマニュアル操作により表示盤に表示され、又は光学センサーにより出目を検出して自動表示される。しかし、プレイヤーがルーレットゲームの初心者の場合、自分がベットしたベット位置及びベット額と出目に応じた倍率を掛け合わせた正確な配当額を即座に求めることは困難であった。
【０００４】
【発明が解決しようとする課題】
これは、ベットのやり方が「シングルナンバー」〜「シックスナンバーズ」，「ワンストリート」，「Ａ列・Ｂ列・Ｃ列」，「赤・黒」，「ハイ・オア・ロー」，「オド・オア・イーブン」の計１１種類あり、単純な「シングルナンバー」等を除いて倍率が即座に得られないことによるものである。このため、配当額がディーラー任せになり、ルーレットゲームの面白さが半減してしまうといった問題点があった。また、ディーラーの間違いにより正当な配当額が受けられなかった場合、アピールすることもできないといった問題点もあった。
【０００５】
本発明は、上記のような課題を解決するために成されたものであり、ルーレットゲームにおけるルーレット盤の出目とレイアウトの場にベットしたカジノチップのベット位置及びベット額等の各種情報を演算処理することにより配当額を自動的に表示することができる、ルーレットゲームの配当額自動表示システムを提供することを目的とする。
【０００６】
【課題を解決するための手段】
上記課題を解決するため、本発明のルーレットゲームの配当額自動表示システムにおいては、ルーレット盤の全てのポケットの底面にボールが落下したことを検出するための半導体圧力センサーを固設した底板を設置し、該半導体圧力センサーからの出力信号を出目情報として２線式シリアル信号に変換するためのトランスデューサーに接続する。また、カジノチップとして当該カジノチップの価値や色等を特定するための下位ビットとカジノチップの固有番号及びカジノ場等を特定するための上位ビットから成るＩＤ情報を有した超小型無線ＩＤタグチップ及びアンテナを埋め込んだものを使用し、レイアウトの場の裏面に設置したＩＤ読み取り装置によりベットされた全てのカジノチップのＩＤ情報を常時読み取ることにより各プレイヤーがベットしたカジノチップのベット位置及びベット額情報を得る。そして、該ベット位置及びベット額情報信号と前記出目情報信号を端末サーバに入力して演算処理し、算出された各プレイヤーの配当額及び出目内容を表示盤に表示する。
【０００７】
【発明の実施の形態及び実施例】
本発明の実施の形態及び実施例を図を用いて説明する。まず、ルーレット盤の出目情報の検出方法を説明する。図１は本発明のルーレットゲームの配当額自動表示システムにおけるルーレット盤のポケットの内部構造図であり、図２は本発明のルーレットゲームの配当額自動表示システムにおける出目情報検出のための半導体圧力センサー及びトランスデューサーの接続図である。
【０００８】
該図に示すように、ルーレット盤１の全てのポケット２の底面にボール４が落下したことを検出するための半導体圧力センサー６を固設した底板５を設置し、該半導体圧力センサー６からの出力信号を出目情報として２線式シリアル信号に変換するためのトランスデューサー７に接続する。
【０００９】
図３はトランスデューサーの回路ブロック図であり、該トランスデューサー７は半導体圧力センサー６からの出力信号を入力して信号増幅及び波形処理を行うための信号増幅回路９と、前記信号よりボール４の有無を判定するためのコンパレーター１０と、ボールの有無情報を２線式シリアル信号にて送信するためのシリアル通信回路１２と、前記コンパレーター１０及びシリアル通信回路１２を制御するための制御回路１１等にて構成する。
【００１０】
上記２線式シリアル信号はマルチドロップ対応のシリアル信号線８とするため、シリアル通信回路１２はＲＳ−４８５規格等が好適であり、多数のトランスデューサー７のシリアル通信回路１２とマルチドロップ接続したシリアル信号線８は、該シリアル通信回路１２のプロトコル制御を行うための端末サーバ１７又は専用制御装置（図示せず）に接続される。なお、シリアル信号線８からの２線式シリアル信号をルーレット盤１の外部に出力したり、ルーレット盤１の外部よりトランスデューサー７に電源を供給する手段として、ルーレット盤１の回転軸にスリップリング（図示せず）を配設して中継する方法があるが、如何なる方法を用いても構わない。
【００１１】
また、例えばアメリカ式ルーレット盤のポケット２は３８個あり、トランスデューサー７もこれに対応して１〜３８のアドレスを持つトランスデューサー７がマルチドロップにてシリーズ接続される。この時、図２に示すように“１”のアドレスを持つトランスデューサー７の出目を「０」，“２”のアドレスを持つトランスデューサー７の出目を「２」，“３”のアドレスを持つトランスデューサー７の出目を「１４」，“４”のアドレスを持つトランスデューサー７の出目を「３５」‥‥“３８”のアドレスを持つトランスデューサー７の出目を「２８」というように、ルーレット盤１の出目と対応させることにより、端末サーバ１７又は専用制御装置にてボールの有無情報がどのアドレスを持つトランスデューサー７からの信号かを検出するだけで出目情報が得られることになる。
【００１２】
次に、レイアウトの場に各プレイヤーがベットしたカジノチップのベット位置及びベット額情報の検出方法を説明するが、該検出方法は本願出願人による特願２００２−２６７５６４「カジノチップの不正防止監視システム」に詳細に説明されており、ここでは概略説明を行う。図４は超小型無線ＩＤタグチップを埋め込んだカジノチップの構成図であり、カジノチップ１３として当該カジノチップ１３の価値や色等を特定するための下位ビットとカジノチップ１３の固有番号及びカジノ場等を特定するための上位ビットから成るＩＤ情報を有した超小型無線ＩＤタグチップ１５及びアンテナ１６を埋め込んだものを使用する。該超小型無線ＩＤタグチップ１５は、外形寸法として２ｍｍ×２ｍｍ以下で厚さは数百ミクロン以下のものが好適であり、アンテナ１６は、カジノチップ１３の外周部内に数ターン巻いたループアンテナが好適である。図４のＡ−Ａ断面図では、超小型無線ＩＤタグチップ１５及びアンテナ１６をグラスファイバー又は合成樹脂板１４に直に配設した状態で示しているが、プリント基板上に超小型無線ＩＤタグチップ１５及びアンテナ１６を配設してカジノチップ１３内に埋め込んでも構わない。また、前記ＩＤ情報として下位ビット及び上位ビットを例えば各２０ビットとすれば２２０≒１０４万８千種類のＩＤを識別できるため、カジノチップ１３の価値，色，レイアウト等を特定したり、全世界のカジノで行われるルーレットゲームのカジノチップ１３を識別するには十分である。
【００１３】
図７は本発明のルーレットゲームの配当額自動表示システムを構築するための詳細接続系統図であり、ＩＤ読み取り装置として、ＸＹのクロスポイントアクセスによるＩＤ読み取り方式とするため、レイアウト２２の上部にＸ側スキャンドライバ２３を配設し、左側にＹ側スキャンドライバ２５を配設し、各々制御装置２７に接続した状態を示している。
【００１４】
図６は本発明のルーレットゲームの配当額自動表示システムにおけるカジノチップ検出用アンテナの構成図であり、Ｘ側スキャンドライバ２３のＸ側送信アンテナ２４ａよりスキャン電波を発信させ、Ｙ側スキャンドライバ２５のＹ側送信アンテナ２６ａよりスキャン電波を発信させると、ＸＹのクロスポイントにおいてレイアウト２２に垂直なフラックスによる電波が発生する。この時、Ｘ側送信アンテナ２４ａに併設されたＸ側受信アンテナ２４ｂ及びＹ側送信アンテナ２６ａに併設されたＹ側受信アンテナ２６ｂにより前記クロスポイントにおけるフラックスによる電波を受信すると、該クロスポイント上にカジノチップ１３がベットされていると当該カジノチップ１３が誘電体となりインピーダンスの変化により受信状態が変化するため、該クロスポイント上にカジノチップ１３がベットされていると判断し、１枚乃至複数枚のカジノチップ１３から送信されるＩＤ情報の読み取り動作を行う。該読み取り動作は、前記インピーダンスの変化によりカジノチップ１３がベットされていると判断した箇所のみ行うことにより、高速且つ効率的に行うことができる。図７では、Ｘ側スキャンドライバ２３よりＸ１〜Ｘ１１までのＸ側送受信アンテナ２４がベット位置上に敷設され、Ｙ側スキャンドライバ２５よりＹ１〜Ｙ２７までのＹ側送受信アンテナ２６がベット位置上に敷設されており、レイアウト２２の右上部にベットされたカジノチップ１３のＩＤ情報はＸ側スキャンドライバ２３のＸ１０ラインとＹ側スキャンドライバ２５のＹ３ラインのクロスポイントより読み取られることになる。このようにして、レイアウト２２の場の裏面に設置したＩＤ読み取り装置によりベットされた全てのカジノチップ１３のＩＤ情報を常時読み取ることにより各プレイヤーがベットしたカジノチップ１３のベット位置及びベット額情報を得ることができる。
【００１５】
図５は本発明のルーレットゲームの配当額自動表示システムにおける配当額表示のための端末サーバ及び表示盤の接続図であり、ルーレット盤１から出力されたシリアル信号線８すなわち出目情報信号１８と制御装置２７から出力されたベット位置及びベット額情報信号１９を端末サーバ１７に入力し、更にＬＡＮ２１経由で上位の管理サーバ（図示せず）に接続する。そして、該出目情報とベット位置及びベット額情報を端末サーバ１７にて演算処理することにより各プレイヤーの配当額を算出する。そして、該算出された各プレイヤーの配当額及び出目内容を表示盤２０に表示することにより、各プレイヤーは容易且つ正確に配当額を確認することができる。
【００１６】
また、端末サーバ１７にＣＤ−ＲやＤＶＤ−Ｒ等のＷＯＲＭ（追記）型記録媒体によりルーレットゲーム中における出目情報とベット位置及びベット額情報等を逐次記録するようにしておけばルーレットゲーム内容が保存でき、後日に役立つものである。
【００１７】
【発明の効果】
以上述べたように、本発明のルーレットゲームの配当額自動表示システムによりルーレットゲームを行うようにすれば、ルーレット盤のポケットの底面に配設した半導体圧力センサーによりルーレット盤の出目情報が得られ、ＩＤ情報を有した超小型無線ＩＤタグチップ及びアンテナを埋め込んだカジノチップ及びレイアウトの場の裏面に設置したＩＤ読み取り装置によりレイアウトの場にベットしたカジノチップのベット位置及びベット額情報が得られる。そして、該ベット位置及びベット額情報及び前記出目情報を端末サーバに入力して演算処理し、算出された各プレイヤーの配当額及び出目内容を表示盤に表示することができるため、初心者を始め上級者においても容易且つ正確に配当額を確認することができるという絶大なる効果を奏する。また、その正確さにより不正を防止することができるという効果も奏する。更には回収したカジノチップの総額等の各種情報も表示させることができるという効果も奏する。
【図面の簡単な説明】
【図１】本発明のルーレットゲームの配当額自動表示システムにおけるルーレット盤のポケットの内部構造図である。
【図２】本発明のルーレットゲームの配当額自動表示システムにおける出目情報検出のための半導体圧力センサー及びトランスデューサーの接続図である。
【図３】トランスデューサーの回路ブロック図である。
【図４】超小型無線ＩＤタグチップを埋め込んだカジノチップの構成図である。
【図５】本発明のルーレットゲームの配当額自動表示システムにおける配当額表示のための端末サーバ及び表示盤の接続図である。
【図６】本発明のルーレットゲームの配当額自動表示システムにおけるカジノチップ検出用アンテナの構成図である。
【図７】本発明のルーレットゲームの配当額自動表示システムを構築するための詳細接続系統図である。
【符号の説明】
１　ルーレット盤
２　ポケット
３　数字表示
４　ボール
５　底板
６　半導体圧力センサー
７　トランスデューサー
８　シリアル信号線
９　信号増幅回路
１０　コンパレーター
１１　制御回路
１２　シリアル通信回路
１３　カジノチップ
１４　グラスファイバー又は合成樹脂板
１５　超小型無線ＩＤタグチップ
１６　アンテナ
１７　端末サーバ
１８　出目情報信号
１９　ベット位置及びベット額情報信号
２０　表示盤
２１　ＬＡＮ
２２　レイアウト
２３　Ｘ側スキャンドライバ
２４　Ｘ側送受信アンテナ
２５　Ｙ側スキャンドライバ
２６　Ｙ側送受信アンテナ
２７　制御装置
【図１】
2004105321.tif 000003
【図２】
2004105321.tif 000004
【図３】
2004105321.tif 000005
【図４】
2004105321.tif 000006
【図５】
2004105321.tif 000007
【図６】
2004105321.tif 000008
【図７】
2004105321.tif 000009